(57)【要約】【課題】生産性に優れ、水分に晒される部分を最小限に抑えて、接着剤の接着力が低下するのを抑制する。【解決手段】薄肉扁平状の穂先竿２と、穂先竿２の基端部３が係合され、後側部材の先端部に形成された装着穴５に着脱可能に挿入される中実棒状の連結部材１０と、を備えた釣竿であって、連結部材１０には、基端部３が係合されるスリット状の溝部１２が形成されており、溝部１２の内面と基端部３の外面とを接着剤２０によって固着するとともに、連結部材１０の外周面における溝部１２の露出する部分を被覆部材１５で覆う。【選択図】図１
2010104341.tif 000002
【特許請求の範囲】
【請求項１】
薄肉扁平状の穂先竿と、
前記穂先竿の基端部が係合され、後側部材の先端部に形成された装着穴に着脱可能に挿入される中実棒状の連結部材と、を備えた釣竿であって、
前記連結部材には、前記基端部が係合されるスリット状の溝部が形成されており、
前記溝部の内面と前記基端部の外面とを接着剤によって固着するとともに、
前記連結部材の外周面における前記溝部の露出する部分を被覆部材で覆ったことを特徴とする釣竿。
【請求項２】
前記溝部の幅は、前記基端部の幅と略同等とされていることを特徴とする請求項１に記載の釣竿。
【請求項３】
前記基端部は、元側が厚く、前記元側から穂先側へ向けて厚さが薄くなるように形成されており、
前記溝部に前記基端部が係合された状態で、前記溝部の内面と前記基端部の外面との間には、穂先側へ向けて空間が広がるようにされた断面くさび形状の接着剤充填空間が形成されることを特徴とする請求項１または請求項２に記載の釣竿。
【請求項４】
前記連結部材は、前記被覆部材の装着によって、前記接着剤充填空間を狭める方向に弾性変形することを特徴とする請求項３に記載の釣竿。
【発明の詳細な説明】
【技術分野】
【０００１】
本発明は、釣竿に関する。
【背景技術】
【０００２】
従来、ワカサギ等の小魚を釣るための釣竿として、合成樹脂またはガラス繊維からなる弾性体を、穂先竿として用いるようにしたものが知られている（例えば、特許文献１参照）。また、穂先竿を薄肉扁平状に形成することで、穂先の横ブレを抑制するとともに穂先感度を高めて、ワカサギ等のような小魚の当たりを感知し易くすることも可能である。
【０００３】
【特許文献１】実開平６−７２３６４号公報
【発明の開示】
【発明が解決しようとする課題】
【０００４】
ところで、一般的に、薄肉扁平状の穂先竿は、円柱状の部材を薄肉扁平状に加工することで得られ、その基端部は、穂先側から基端部に近づくにつれて徐々に肉厚とされて円柱状に形成されていた。このため、加工が煩雑で生産性に劣るという問題を有していた。
【０００５】
また、穂先竿の基端部に円筒状の接続部材を装着する場合には、接着剤が用いられることとなるが、実釣時には、接着剤の塗布部分に水分が付着することがあり、これによる接着力の低下を抑制することが望まれていた。
【０００６】
本発明は、前記諸問題を解決するためになされたものであり、生産性に優れ、水分に晒される部分を最小限に抑えて、接着剤の接着力が低下するのを抑制することができる釣竿を提供することを目的とする。
【課題を解決するための手段】
【０００７】
このような課題を解決する本発明の釣竿は、薄肉扁平状の穂先竿と、前記穂先竿の基端部が係合され、後側部材の先端部に形成された装着穴に着脱可能に挿入される中実棒状の連結部材と、を備えた釣竿であって、前記連結部材には、前記基端部が係合されるスリット状の溝部が形成されており、前記溝部の内面と前記基端部の外面とを接着剤によって固着するとともに、前記連結部材の外周面における前記溝部の露出する部分を被覆部材で覆ったことを特徴とする。
【０００８】
この釣竿によれば、連結部材に形成されたスリット状の溝部に穂先竿の基端部を挿入することでこれらを係合することができ、接着剤を用いることによって穂先竿の基端部に連結部材を固定することができる。そして、穂先竿の基端部に固定された連結部材を、後側部材の先端部に形成された装着穴に挿入することによって、連結部材を介して後側部材の先端部に穂先竿を取り付けることができる。
【０００９】
溝部の内面と基端部の外面とは接着剤によって固着されており、連結部材の外周面における溝部の露出する部分が被覆部材で覆われているので、連結部材の外周面側において溝部が被覆部材で隠れ、溝部の形成されている部分に水分が付着することが防止される。したがって、実釣時等に、仮に、穂先竿を伝わって連結部材側へ水分が流れてきても、これが被覆部材によって好適に排除されるようになり、連結部材の外周面側から溝部内に水分が染み入るのを好適に阻止することができる。つまり、接着剤が水分に晒されるのを好適に抑制することができる。
【００１０】
また、本発明は、前記溝部の幅が、前記基端部の幅と略同等とされている構成とするのがよい。
この釣竿によれば、溝部の幅が、基端部の幅と略同等とされているので、溝部に基端部を係合する際に、溝部内に基端部が収まるように、つまり、溝部から基端部がはみ出さないようにすることで、基端部と連結部材との芯ずれや継ぎ曲がりを防止した組み付けが可能となる。
【００１１】
また、本発明は、前記穂先竿の前記基端部は、元側が厚く、前記元側から穂先側へ向けて厚さが薄くなるように形成されており、前記溝部に前記基端部が係合された状態で、前記溝部の内面と前記基端部の外面との間には、穂先側へ向けて空間が広がるようにされた断面くさび形状の接着剤充填空間が形成される構成とするのがよい。
【００１２】
この釣竿によれば、接着剤充填空間において接着剤が硬化すると、硬化した接着剤は、溝部と基端部とを固着するとともに、接着剤充填空間が断面くさび状とされているので、溝部から基端部が抜けるのを抑えるくさび状の部材としても機能することとなる。したがって、溝部から穂先竿（基端部）が抜けるのを硬化した接着剤で好適に抑制することができる。
【００１３】
また、本発明は、前記連結部材が、前記被覆部材の装着によって、前記接着剤充填空間を狭める方向に弾性変形する構成とするのがよい。
【００１４】
この釣竿によれば、被覆部材が装着されると、連結部材は、接着剤充填空間を狭める方向に弾性変形し、これによって、溝部の内面が、基端部の外面に近づき、あるいは溝部の内面が基端部の外面に部分的に当接する等して、溝部から基端部が抜けるのを抑えるストッパとして機能するようになる。したがって、接着剤の固着およびこのような溝部の内面によるストッパ機能によって、溝部から穂先竿（基端部）が抜けるのを好適に規制することができる。
【発明の効果】
【００１５】
本発明によれば、連結部材に形成されたスリット状の溝部に穂先竿の基端部を挿入することでこれらを係合することができ、穂先竿と連結部材との組み付けが簡単であり生産性に優れた釣竿が得られる。また、連結部材を介して後側部材に簡単に穂先竿を取り付けることができる。
また、溝部内に基端部を係合する組み付けであり、溝部の内面と基端部の外面とが接着剤によって固着されるので、連結部材に対して基端部ががたつくことなく取り付けられるようになり、堅固な継ぎ構造を備えた釣竿が得られる。
【００１６】
また、連結部材の外周面において溝部の露出する部分が被覆部材で覆われ、溝部内に充填された接着剤が連結部材の外周面側から水分に晒されるのを好適に抑制することができるので、実釣時等に、穂先竿を伝わって連結部材側へ水分が流れてきても、被覆部材で水分が排除され、連結部材の外周面側から溝部を伝わって接着剤に水分が付着するのを好適に防止することができる。したがって、接着剤の水分に晒される部分を最小限に抑えることができ、接着剤が吸水、膨潤するのを好適に防止することができて、接着剤の接着力が低下するのを抑制することができる。これにより、連結部材を介した穂先竿と後側部材との堅固な継合を実現することができる。
【００１７】
また、本発明によれば、溝部の幅は、基端部の幅と略同等とされており、溝部に基端部を係合する際には、溝部内に基端部が収まるように、つまり、溝部から基端部がはみ出さないようにすることで、基端部に対する連結部材の芯ずれや継ぎ曲がりを防止した組み付けが可能であるので、釣竿の真直性が損なわれ難いという利点が得られる。
【００１８】
また、本発明によれば、接着剤充填空間が断面くさび状とされているので、接着剤充填空間内で硬化した接着剤が、溝部から基端部が抜けるのを抑えるくさび部材として機能することとなり、溝部から基端部が抜けるのを好適に抑制することができる。したがって、堅固な継ぎ構造を備えた釣竿が得られる。
【００１９】
また、本発明によれば、連結部材が、被覆部材の装着によって、接着剤充填空間を狭める方向に撓み、溝部の内面と基端部の外面との間隔が狭められるようになっているので、溝部の内面が、基端部の外面に近接あるいは部分的に当接する等して、これが、溝部から基端部が抜けるのを抑えるストッパとして作用する。したがって、溝部から基端部が抜けるのを効果的に規制することができ、堅固な継ぎ構造を備えた釣竿が得られる。
また、実釣時等に、穂先が撓んで溝部が拡がろうとしても、それを被覆部材で好適に抑えることができるようになり、継合状態を変化させずに安定して維持することができる。したがって、堅固な継ぎ構造を長期間にわたって維持することができる釣竿が得られる。
【発明を実施するための最良の形態】
【００２０】
以下、本発明に係る釣竿の実施の形態について図面を参照しながら説明する。
参照する図面において、図１（ａ）は本発明の一実施形態に係る釣竿の全体を示す説明図、図１（ｂ）は主要部の構成を示した分解斜視図である。図２（ａ）は連結部材に穂先竿の基端部を装着した状態を示す断面図、図２（ｂ）は被覆部材を巻き締めして装着した状態を示す断面図、図３（ａ）は穂先竿の部材構成を示す模式図、図３（ｂ）は穂先竿の積層状態を示す模式図である。
なお、以下では、釣竿としてワカサギ用の竿に本発明を適用したものを例示するが、投げ、磯、船、ルアーなど様々な竿種に本発明は適用可能であり、本発明の釣竿の形態を限定する趣旨ではない。また、以下の説明において、「前」側は、穂先側を言い、「後」側は、竿尻側を言う。
【００２１】
図１（ａ）に示すように、釣竿は、例えばワカサギのような小さい魚を釣るのに適した構造となっており、後側部材としての元竿１に穂先竿２を継合させる、いわゆる二本継ぎの釣竿として構成されている。本実施形態では、穂先竿２は、その基端部３（図１（ｂ）参照）に取り付けられる連結部材１０を介して元竿１の先端部に形成された装着穴５に着脱可能に挿入されるようになっている。なお、後側部材としては、元竿１に限られず、穂先竿２が装着される中竿等が挙げられる。
【００２２】
元竿１は、管状体に構成されており、例えば、強化繊維（主として炭素繊維やガラス繊維等）に合成樹脂を含浸させた、いわゆるプリプレグシートを芯金に巻回し、加熱工程を経た後、脱芯する等の定法に従って所定の寸法に形成されている。このように形成される元竿１の外周部には、釣糸を巻回するリールＲを装着するためのリール載置部（詳細な構成は不図示）が設けられている。
【００２３】
穂先竿２は、薄肉扁平状とされており、本実施形態では、炭素繊維、ガラス繊維等の強化繊維に合成樹脂を含浸させたシート状の部材を複数枚積層して加熱成形により一体化してある。
穂先竿２の外面には、リールＲから繰り出される釣糸を案内する釣糸ガイド４が所定間隔を置いて取り付けられている。
【００２４】
穂先竿２を構成するシート状の部材は、図３（ａ）に示すように、ベースとなるベースシート２Ａと、このベースシート２Ａの上に積層される補強シート２Ｂ，２Ｃと、この補強シート２Ｂ，２Ｃのさらに上に積層される剥離防止用のシート２Ｄとから構成される。
二枚の補強シート２Ｂ，２Ｃは、ベースシート２Ａよりも軸長方向の長さが短く、補強シート２Ｃは、補強シート２Ｂよりもさらに軸長方向の長さが短くされている。本実施形態では、二枚の補強シート２Ｂ，２Ｃが、いずれも、ベースシート２Ａの基端側に揃えられて積層されており、これらの上に積層されるシート２Ｄと併せて、基端側に移行するにつれて積層枚数が増える構造となっている。
【００２５】
このように、基端側に移行するにつれて積層枚数が増える構造とすることにより、長さ方向に沿って段階的に剛性変化が得られるようになる。すなわち、基端側では、剛性が次第に高まって曲がり難くなり、これとは反対に穂先側では剛性が低くなって曲がり易くなっている。これにより、穂先側において魚信が感知し易くなる。
【００２６】
なお、補強シート２Ｂ，２Ｃは、いずれか一枚をベースシート２Ａに積層するようにしてもよく、また、他の補強シートを補強シート２Ｂ，２Ｃに積層して三枚以上の積層としてもよい。
また、ベースシート２Ａ、補強シート２Ｂ，２Ｃ、シート２Ｄは、基端側に近づくほど肉厚化するように構成してもよく、また、上層側になるほど、薄肉に形成してもよい。
【００２７】
シート２Ｄは、剥離防止用のシートであり、例えば、エポキシ、ポリエステル、フェノール等の合成樹脂によって構成され、補強シート２Ｂ，２Ｃの上に積層されることで、これらの補強シート２Ｂ，２Ｃの境界部分に生じた段差を覆うようになっている。このようなシート２Ｄは、少なくとも、ベースシート２Ａの上に積層される最初の補強シート２Ｂよりも長い全長を有することが好ましい。すなわち、このような長さを有するシート２Ｄを用いることで、一度に全ての段差部分を覆うことができ、段差部分から補強シート２Ｂ，２Ｃが剥離するのを防止することができる。
なお、シート２Ｄは、図３（ｂ）に示すように、例えば、積層後に圧力をかけながら加熱されると、溶融して表面上に略均一な被着層を形成する。これにより、ベースシート２Ａ、補強シート２Ｂ，２Ｃによる軸長方向の剛性の変化状態を好適に維持することが可能である。
【００２８】
このようにして形成される穂先竿２は、基端部３の幅Ｌが、図１（ｂ）に示すように、後記する連結部材１０の溝部１２の幅Ｌ１と略同等とされている。つまり、後記するように、穂先竿２の基端部３は、溝部１２の幅方向にはみ出すことなく溝部１２内に係合することが可能である。
【００２９】
連結部材１０は、合成樹脂等の素材から中実棒状に形成されており、可撓性を備えている。連結部材１０の先端部側には、穂先竿２の基端部３が挿入されて係合されるスリット状（断面矩形状）の溝部１２が形成されている。本実施形態では、この溝部１２が、連結部材１０の先端部側（前側）を上下に二分するように連結部材の軸心（不図示）に沿って径方向に横断するように形成されている。連結部材１０の外周面および先端面には、溝部１２の内空に連通する開口部１２ａ，１２ｂが形成されている。
【００３０】
連結部材１０は、図２（ａ）に示すように、前記のように積層されて形成された穂先竿２の基端部３が挿入可能な溝高さを有しており、基端部３が係合された状態で、溝部１２の内面１２ｃと基端部３の外面３ｃとの間には、穂先側へ向けて空間が広がるようにされた断面略くさび形状の接着剤充填空間Ｋ（図では接着剤３０が充填された状態を示す）が形成されるようになっている。ここで、穂先竿２は、製造段階で、その基端部３が、元側が厚く、元側から穂先側へ向けて厚さが薄くなるように（テーパ状に漸次厚さが薄くなってなだらかな先細り形状となるように）形成されており、溝部１２に基端部３が挿入されて係合された状態では、溝部１２の内面１２ｃに、基端部３の傾斜した外面３ｃが対向するようになっており、これら両者の間に、前記した断面略くさび形状の接着剤充填空間Ｋが形成されるようになっている。
また、図１（ｂ）に示すように、溝部１２の幅Ｌ１は、基端部３の幅Ｌと略同等とされており、後記するように、溝部１２の幅方向にはみ出すことなく基端部３を溝部１２に係合することが可能となっている。
【００３１】
このような形状の接着剤充填空間Ｋには、接着剤２０が充填される。本実施形態では、図１（ｂ）に示すように、基端部３の外面３ｃと溝部１２の内面１２ｃ（不図示）に予め接着剤２０を塗布しておいてから、溝部１２に基端部３を挿入している。これにより、溝部１２に基端部３を挿入すると同時に接着剤充填空間Ｋが接着剤２０で満たされることとなる。
【００３２】
被覆部材１５は、溝部１２の開口部１２ａを覆う状態に連結部材１０に巻回された糸状体である。本実施形態では、綿糸等の糸状体を用いており、その表面に糸止め剤１５ａが塗布されている。
なお、被覆部材１５としては、前記した綿糸等の糸状体に限られることはなく、織布、不織布、ナイロン、ポリエステル等のテープ状体や、収縮性のチューブ、金属製の筒状体等、種々のものを採用することができる。
【００３３】
次に、穂先竿２の連結部材１０への組み付けについて説明する。
初めに、穂先竿２の基端部３および連結部材１０の溝部１２に接着剤２０を所定量塗布する。そして、溝部１２の開口部１２ａ側から、基端部３を溝部１２の幅方向に沿うようにして溝部１２内に挿入する。これにより、断面くさび形状の接着剤充填空間Ｋに接着剤２０が介在される状態で基端部３が溝部１２内に挿入される。
これにより、図２（ａ）に示すように、基端部３の外面３ｃと溝部１２の内面１２ｃとが接着剤２０によって固着されるとともに、基端部３の後端面２ｄと溝部１２の底面１２ｄとが接着剤２０によって固着されることとなる。
【００３４】
ここで、溝部１２の幅Ｌ１は、基端部３の幅Ｌと略同等とされているので、図４（ａ）（ｂ）に示すように、平面視で、溝部１２から基端部３の後端部３ａや基端部３の前端部３ｂがはみ出しているときには、穂先竿２と連結部材１０とが継ぎ曲がり状態で係合していることが分かる。このような場合には、指等で連結部材１０を幅方向から摘むことによって、基端部３のはみ出している部分を溝部１２内に押し込み、継ぎ曲がり状態を解消する。接着剤２０は、この状態で、硬化させてもよいし、被覆部材１５を巻き付けた後に硬化させてもよい。
【００３５】
その後、被覆部材１５を連結部材１０の先端側に巻き付け、溝部１２の開口部１２ａを被覆部材１５で覆う。そして、被覆部材１５に糸止め剤１５ａを塗布する。
これにより、穂先竿２の基端部３に連結部材１０を取り付けることができる。
【００３６】
ここで、図２（ｂ）に示すように、被覆部材１５を連結部材１０の先端側に巻き付ける際に、連結部材１０に対して所望の巻き締め力を加えて、接着剤充填空間Ｋを狭める方向に連結部材１０を弾性変形させてもよい。
このようにすると、溝部１２の内面１２ｃが基端部３のテーパ状の外面３ｃに沿うように弾性変形し、溝部１２の内面１２ｃが基端部３のテーパ状の外面３ｃに近接する状態、あるいは溝部１２の内面１２ｃが基端部３の外面３ｃに部分的（または全体的）に接着剤２０を介して当接する状態で、溝部１２に基端部３を係合させることができる。
【００３７】
以上説明した本実施形態の釣竿によれば、連結部材１０に形成されたスリット状の溝部１２に穂先竿２の基端部３を挿入することでこれらを係合することができ、穂先竿２と連結部材１０との組み付けが簡単であり生産性に優れた釣竿が得られる。また、連結部材１０を介して元竿１に簡単に穂先竿２を取り付けることができる。
また、溝部１２内に基端部３を係合する組み付けであるので、接着剤２０が硬化するまでの間に溝部１２に対する基端部３の位置ずれが生じ難く、釣竿の真直性が損なわれ難いという利点が得られる。
また、溝部１２内に基端部３を係合する組み付けであり、溝部１２の内面１２ｃと基端部３の外面３ｃとが接着剤２０によって固着されるので、連結部材１０に対して基端部３ががたつくことなく取り付けられるようになり、堅固な継ぎ構造を備えた釣竿が得られる。
【００３８】
また、連結部材１０の外周面において溝部１２の露出する部分が被覆部材１５で覆われ、溝部１２内に充填された接着剤２０が連結部材１０の外周面側から水分に晒されるのを好適に抑制することができるので、実釣時等に、穂先竿２を伝わって連結部材１０側へ水分が流れてきても、被覆部材１５で水分が排除され、連結部材１０の外周面側から溝部１２を伝わって接着剤２０に水分が付着することがなくなる。したがって、接着剤２０の水分に晒される部分が最小限に抑えられるようになり、接着剤２０が吸水、膨潤するのを好適に防止することができて、接着剤２０の接着力が低下するのを抑制することができる。これにより、連結部材１０を介した穂先竿２と元竿１との堅固な継合を実現することができる。
【００３９】
また、溝部１２の幅Ｌ１は、基端部３の幅Ｌと略同等とされており、溝部１２に基端部３を係合する際には、溝部１２内に基端部３が収まるように、つまり、溝部１２から基端部３がはみ出さないようにすることで、基端部３に対する連結部材１０の芯ずれや継ぎ曲がりを防止した組み付けが可能であるので、釣竿の真直性が損なわれ難いという利点が得られる。これにより、魚の微妙なあたりを感知できるようになる。
【００４０】
また、接着剤充填空間Ｋが断面くさび状とされているので、接着剤充填空間Ｋ内で硬化した接着剤が、溝部１２から基端部３が抜けるのを抑えるくさび部材として機能することとなり、基端部３が抜けるのを好適に抑制することができる。したがって、堅固な継ぎ構造を備えた釣竿が得られる。
【００４１】
また、被覆部材１５の巻き締め力で、接着剤充填空間Ｋを狭める方向に連結部材１０を弾性変形させることで、溝部１２の内面１２ｃと基端部３の外面３ｃとに対する接着剤２０の密着性が高まるとともに、溝部１２の内面１２ｃが、基端部３の外面に近接あるいは部分的に当接する等して、これを、溝部１２から基端部３が抜けるのを抑えるストッパとして機能させることができる。したがって、溝部１２から基端部３が抜けるのを効果的に規制することができ、堅固な継ぎ構造を備えた釣竿が得られる。
また、実釣時等に、基端部３から入力される外力で溝部１２が拡がろうとしても、それを被覆部材１５で好適に抑えることができる。したがって、堅固な継ぎ構造を長期間にわたって維持することができる釣竿が得られる。
【００４２】
なお、前記実施形態では、溝部１２を断面矩形状としたが、これに限られることはなく、曲面を備えた形状としてもよい。
また、溝部１２の内面１２ｃを開口部１２ｂに向けてテーパ状に拡がるように形成してもよい。
さらにまた、基端部３の外面３ｃや溝部１２の内面１２ｃを粗面化して、接着剤２０の固着力が高まるようにしてもよい。また、基端部３の外面３ｃや溝部１２の内面１２ｃに凹部を設けて、接着剤２０が流れ込む部位を設けてもよい。このように構成することによってくさび効果が一層高まるようになる。
【図面の簡単な説明】
【００４３】
【図１】（ａ）は本発明の一実施形態に係る釣竿の全体を示す説明図、（ｂ）は主要部の構成を示した分解斜視図である。
【図２】（ａ）は連結部材に穂先竿の基端部を装着した状態を示す断面図、（ｂ）は被覆部材を巻き締めして装着した状態を示す断面図である。
【図３】（ａ）は穂先竿の部材構成を示す模式図、（ｂ）は穂先竿の積層状態を示す模式図である。
【図４】（ａ）（ｂ）は継ぎ曲がりが生じているときの様子を示す模式図である。
【符号の説明】
【００４４】
１      元竿
２      穂先竿
３ｃ    外面
３      基端部
１０    連結部材
１２    溝部
１２ａ  開口部
１２ｃ  内面
１５    被覆部材
２０    接着剤
Ｋ      接着剤充填空間
Ｌ      基端部の幅
Ｌ１    溝部の幅
【図１】
2010104341.tif 000003
【図２】
2010104341.tif 000004
【図３】
2010104341.tif 000005
【図４】
2010104341.tif 000006